【手続補正書】
【提出日】平成19年3月6日(2007.3.6)
【手続補正１】
【補正対象書類名】明細書
【補正対象項目名】発明の名称
【補正方法】変更
【補正の内容】
【発明の名称】情報受信装置および方法、情報送信装置および方法、並びに記録媒体
【手続補正２】
【補正対象書類名】明細書
【補正対象項目名】特許請求の範囲
【補正方法】変更
【補正の内容】
【特許請求の範囲】
【請求項１】  ユーザがコンテンツを受信した履歴を記憶する記憶手段と、
前記ユーザの個人情報を取得する第１の取得手段と、
前記ユーザをクラスに分類するクラスタリングルールを取得する第２の取得手段と、
前記第２の取得手段により取得されたクラスタリングルールを、前記ユーザがコンテンツを受信した履歴と、前記ユーザの個人情報とに適用して、前記ユーザのクラスを決定するクラス決定手段と
を備えることを特徴とする情報受信装置。
【請求項２】  前記個人情報は、前記ユーザの性別、年齢、または居住している地域を含み、
前記ユーザがコンテンツを受信した履歴は、前記コンテンツのジャンルを含む
ことを特徴とする請求項１に記載の情報受信装置。
【請求項３】  前記クラス決定手段により決定された前記ユーザのクラスをネットワークを介して出力する出力手段を
さらに備えることを特徴とする請求項１に記載の情報受信装置。
【請求項４】  前記出力手段は、前記ユーザがコンテンツを受信した履歴もさらに出力する
ことを特徴とする請求項３に記載の情報受信装置。
【請求項５】  前記クラス決定手段により決定された前記ユーザのクラスに基づいて、ザッピング用チャンネルの順位を決定する順位決定手段を
さらに備えることを特徴とする請求項１に記載の情報受信装置。
【請求項６】  ユーザがコンテンツを受信した履歴を記憶する記憶ステップと、
前記ユーザの個人情報を取得する第１の取得ステップと、
前記ユーザをクラスに分類するクラスタリングルールを取得する第２の取得ステップと、
前記第２の取得ステップの処理により取得されたクラスタリングルールを、前記ユーザがコンテンツを受信した履歴と、前記ユーザの個人情報とに適用して、前記ユーザのクラスを決定するクラス決定ステップと
を含むことを特徴とする情報受信方法。
【請求項７】  ユーザがコンテンツを受信した履歴の記憶を制御する記憶制御ステップと、
前記ユーザの個人情報を取得する第１の取得ステップと、
前記ユーザをクラスに分類するクラスタリングルールを取得する第２の取得ステップと、
前記第２の取得ステップの処理により取得されたクラスタリングルールを、前記ユーザがコンテンツを受信した履歴と、前記ユーザの個人情報とに適用して、前記ユーザのクラスを決定するクラス決定ステップと
を含むことを特徴とするコンピュータが読み取り可能なプログラムが記録されている記録媒体。
【請求項８】  ユーザが受信したコンテンツのジャンルと、前記ユーザの個人情報に基づいて、前記ユーザのクラスを決定するクラスタリングルールを生成する生成手段と、
前記生成手段により生成された前記クラスタリングルールを、前記ユーザの情報受信装置に送信する送信手段と
を備えることを特徴とする情報送信装置。
【請求項９】  前記情報受信装置により前記ユーザが受信したコンテンツのジャンルを取得する取得手段をさらに備え、
前記生成手段は、前記取得手段により取得された前記ジャンルに基づいて、前記クラスタリングルールを生成する
ことを特徴とする請求項８に記載の情報送信装置。
【請求項１０】  前記送信手段により送信された前記クラスタリングルールに従って決定された前記ユーザのクラスを、前記ユーザがコンテンツを受信した履歴とともに受信する受信手段を
さらに備えることを特徴とする請求項８に記載の情報送信装置。
【請求項１１】  ユーザが受信したコンテンツのジャンルと、前記ユーザの個人情報に基づいて、前記ユーザのクラスを決定するクラスタリングルールを生成する生成ステップと、
前記生成ステップの処理により生成された前記クラスタリングルールを、前記ユーザの情報受信装置に送信する送信ステップと
を含むことを特徴とする情報送信方法。
【請求項１２】  ユーザが受信したコンテンツのジャンルと、前記ユーザの個人情報に基づいて、前記ユーザのクラスを決定するクラスタリングルールを生成する生成ステップと、
前記生成ステップの処理により生成された前記クラスタリングルールを、前記ユーザの情報受信装置に送信する送信ステップと
を含むことを特徴とするコンピュータが読み取り可能なプログラムが記録されている記録媒体。
【請求項１３】  ユーザの第１の情報に関する第２の情報を取得する取得手段と、
前記取得手段により取得された前記第２の情報に基づいて、第３の情報を前記第１の情報に挿入するタイミングを決定する決定手段と、
前記決定手段により決定された前記タイミングに基づいて、前記第１の情報に対する前記第３の情報の挿入タイミングを制御する制御手段と、
前記第１の情報と第３の情報を前記ユーザの情報受信装置に送信する送信手段と
を備えることを特徴とする情報送信装置。
【請求項１４】  前記第１の情報は、コンテンツであり、
前記第３の情報は、コマーシャルである
ことを特徴とする請求項１３に記載の情報送信装置。
【請求項１５】  前記取得手段は、前記第２の情報として、前記ユーザが前記第１の情報の受信を要求したことを表す情報を取得する
ことを特徴とする請求項１３に記載の情報送信装置。
【請求項１６】  前記決定手段は、挿入する前記第３の情報の種類もさらに決定する
ことを特徴とする請求項１３に記載の情報送信装置。
【請求項１７】  前記取得手段は、前記第２の情報として、前記第１の情報を選択した前記ユーザの第１の情報の嗜好を表す嗜好情報を取得する
ことを特徴とする請求項１３に記載の情報送信装置。
【請求項１８】  前記取得手段は、前記嗜好情報として、前記ユーザが受信した第１の情報のジャンルと、前記ユーザの個人情報に基づいて、クラスタリングルールに基づいて決定された前記ユーザのクラスを取得する
ことを特徴とする請求項１７に記載の情報送信装置。
【請求項１９】  前記クラスタリングルールを生成する生成手段と、
前記生成手段により生成された前記クラスタリングルールを、前記ユーザの情報受信装置に送信する送信手段と
をさらに含むことを特徴とする請求項１８に記載の情報送信装置。
【請求項２０】  ユーザの第１の情報に関する第２の情報を取得する取得ステップと、
前記取得ステップの処理により取得された前記第２の情報に基づいて、第３の情報を前記第１の情報に挿入するタイミングを決定する決定ステップと、
前記決定ステップの処理により決定された前記タイミングに基づいて、前記第１の情報に対する前記第３の情報の挿入タイミングを制御する制御ステップと、
前記第１の情報と第３の情報を前記ユーザの情報受信装置に送信する送信ステップと
を含むことを特徴とする情報送信方法。
【請求項２１】  ユーザの第１の情報に関する第２の情報を取得する取得ステップと、
前記取得ステップの処理により取得された前記第２の情報に基づいて、第３の情報を前記第１の情報に挿入するタイミングを決定する決定ステップと、
前記決定ステップの処理により決定された前記タイミングに基づいて、前記第１の情報に対する前記第３の情報の挿入タイミングを制御する制御ステップと、
前記第１の情報と第３の情報を前記ユーザの情報受信装置に送信する送信ステップと
を含むことを特徴とするコンピュータが読み取り可能なプログラムが記録されている記録媒体。
【請求項２２】  ユーザの第１の情報に関する第２の情報を取得する取得手段と、
前記取得手段により取得された前記第２の情報を、前記第１の情報の情報送信装置に送信する送信手段と、
前記送信手段により送信された前記第２の情報に基づくタイミングで、前記第１の情報に挿入された第３の情報を受信する受信手段と
を備えることを特徴とする情報受信装置。
【請求項２３】  前記第１の情報は、コンテンツであり、
前記第３の情報は、コマーシャルである
ことを特徴とする請求項２２に記載の情報受信装置。
【請求項２４】  ユーザの第１の情報に関する第２の情報を取得する取得ステップと、
前記取得ステップの処理により取得された前記第２の情報を、前記第１の情報の情報送信装置に送信する送信ステップと、
前記送信ステップの処理により送信された前記第２の情報に基づくタイミングで、前記第１の情報に挿入された前記第３の情報を受信する受信ステップと
を含むことを特徴とする情報受信方法。
【請求項２５】  ユーザの第１の情報に関する第２の情報を取得する取得ステップと、
前記取得ステップの処理により取得された前記第２の情報を、前記第１の情報の情報送信装置に送信する送信ステップと、
前記送信ステップの処理により送信された前記第２の情報に基づくタイミングで、前記第１の情報に挿入された前記第３の情報を受信する受信ステップと
を含むことを特徴とするコンピュータが読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、情報受信装置および方法、情報送信装置および方法、並びに記録媒体に関し、特に、個人情報を安全に送受信することができるようにした、情報受信装置および方法、情報送信装置および方法、並びに記録媒体に関する。
【手続補正４】
【補正対象書類名】明細書
【補正対象項目名】００１８
【補正方法】変更
【補正の内容】
【００１８】
本発明の第２の記録媒体のプログラムは、ユーザが受信したコンテンツのジャンルと、ユーザの個人情報に基づいて、ユーザのクラスを決定するクラスタリングルールを生成する生成ステップと、生成ステップの処理により生成されたクラスタリングルールを、ユーザの情報受信装置に送信する送信ステップとを含むことを特徴とする。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】変更
【補正の内容】
【００３７】
本発明の第２の情報送信装置は、ユーザの第１の情報に関する第２の情報を取得する取得手段と、取得手段により取得された第２の情報に基づいて、第３の情報を第１の情報に挿入するタイミングを決定する決定手段と、決定手段により決定されたタイミングに基づいて、第１の情報に対する第３の情報の挿入タイミングを制御する制御手段と、第１の情報と第３の情報をユーザの情報受信装置に送信する送信手段とを備えることを特徴とする。
【手続補正２４】
【補正対象書類名】明細書
【補正対象項目名】００４４
【補正方法】変更
【補正の内容】
【００４４】
本発明の第２の情報送信方法は、ユーザの第１の情報に関する第２の情報を取得する取得ステップと、取得ステップの処理により取得された第２の情報に基づいて、第３の情報を第１の情報に挿入するタイミングを決定する決定ステップと、決定ステップの処理により決定されたタイミングに基づいて、第１の情報に対する第３の情報の挿入タイミングを制御する制御ステップと、第１の情報と第３の情報をユーザの情報受信装置に送信する送信ステップとを含むことを特徴とする。
【手続補正２５】
【補正対象書類名】明細書
【補正対象項目名】００４６
【補正方法】変更
【補正の内容】
【００４６】
本発明の第２の情報受信装置は、ユーザの第１の情報に関する第２の情報を取得する取得手段と、取得手段により取得された第２の情報を、第１の情報の情報送信装置に送信する送信手段と、送信手段により送信された第２の情報に基づくタイミングで、第１の情報に挿入された第３の情報を受信する受信手段とを備えることを特徴とする。
【手続補正２６】
【補正対象書類名】明細書
【補正対象項目名】００４８
【補正方法】変更
【補正の内容】
【００４８】
本発明の第２の情報受信方法は、ユーザの第１の情報に関する第２の情報を取得する取得ステップと、取得ステップの処理により取得された第２の情報を、第１の情報の情報送信装置に送信する送信ステップと、送信ステップの処理により送信された第２の情報に基づくタイミングで、第１の情報に挿入された第３の情報を受信する受信ステップとを含むことを特徴とする。
【手続補正２７】
【補正対象書類名】明細書
【補正対象項目名】００４９
【補正方法】変更
【補正の内容】
【００４９】
本発明の第４の記録媒体のプログラムは、ユーザの第１の情報に関する第２の情報を取得する取得ステップと、取得ステップの処理により取得された第２の情報を、第１の情報の情報送信装置に送信する送信ステップと、送信ステップの処理により送信された第２の情報に基づくタイミングで、第１の情報に挿入された第３の情報を受信する受信ステップとを含むことを特徴とする。
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】削除
【補正の内容】
【手続補正３２】
【補正対象書類名】明細書
【補正対象項目名】００５４
【補正方法】削除
【補正の内容】
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】
【手続補正３５】
【補正対象書類名】明細書
【補正対象項目名】００５７
【補正方法】削除
【補正の内容】
【手続補正３６】
【補正対象書類名】明細書
【補正対象項目名】００５８
【補正方法】削除
【補正の内容】
【手続補正３７】
【補正対象書類名】明細書
【補正対象項目名】００５９
【補正方法】削除
【補正の内容】
【手続補正３８】
【補正対象書類名】明細書
【補正対象項目名】００６０
【補正方法】削除
【補正の内容】
【手続補正３９】
【補正対象書類名】明細書
【補正対象項目名】００６１
【補正方法】削除
【補正の内容】
【手続補正４０】
【補正対象書類名】明細書
【補正対象項目名】００６２
【補正方法】削除
【補正の内容】
【手続補正４１】
【補正対象書類名】明細書
【補正対象項目名】００６３
【補正方法】削除
【補正の内容】
【手続補正４２】
【補正対象書類名】明細書
【補正対象項目名】００６４
【補正方法】削除
【補正の内容】
【手続補正４３】
【補正対象書類名】明細書
【補正対象項目名】００６５
【補正方法】削除
【補正の内容】
【手続補正４４】
【補正対象書類名】明細書
【補正対象項目名】００６６
【補正方法】変更
【補正の内容】
【００６６】
本発明の第１の情報受信装置および方法、並びに第１の記録媒体のプログラムにおいては、取得したクラスタリングルールを、コンテンツを受信した履歴と個人情報に適用して、ユーザのクラスが決定される。
【手続補正４５】
【補正対象書類名】明細書
【補正対象項目名】００６７
【補正方法】変更
【補正の内容】
【００６７】
本発明の第１の情報送信装置および方法、並びに第２の記録媒体のプログラムにおいては、クラスタリングルールが生成され、ユーザの情報受信装置に送信される。
【手続補正４６】
【補正対象書類名】明細書
【補正対象項目名】００６８
【補正方法】削除
【補正の内容】
【手続補正４７】
【補正対象書類名】明細書
【補正対象項目名】００６９
【補正方法】削除
【補正の内容】
【手続補正４８】
【補正対象書類名】明細書
【補正対象項目名】００７０
【補正方法】削除
【補正の内容】
【手続補正４９】
【補正対象書類名】明細書
【補正対象項目名】００７１
【補正方法】削除
【補正の内容】
【手続補正５０】
【補正対象書類名】明細書
【補正対象項目名】００７２
【補正方法】変更
【補正の内容】
【００７２】
本発明の第２の情報送信装置および方法、並びに第３の記録媒体のプログラムにおいては、ユーザの第１の情報に関する第２の情報に基づいて、第３の情報を第１の情報に挿入するタイミングが決定される。
【手続補正５１】
【補正対象書類名】明細書
【補正対象項目名】００７３
【補正方法】変更
【補正の内容】
【００７３】
本発明の第２の情報受信装置および方法、並びに第４の記録媒体のプログラムにおいては、送信した第２の情報に基づくタイミングで、第１の情報に挿入された第３の情報が受信される。
【手続補正５２】
【補正対象書類名】明細書
【補正対象項目名】００７４
【補正方法】削除
【補正の内容】
【手続補正５３】
【補正対象書類名】明細書
【補正対象項目名】００７５
【補正方法】削除
【補正の内容】
【手続補正５４】
【補正対象書類名】明細書
【補正対象項目名】００７６
【補正方法】削除
【補正の内容】
【手続補正５５】
【補正対象書類名】明細書
【補正対象項目名】００７７
【補正方法】削除
【補正の内容】
【手続補正５６】
【補正対象書類名】明細書
【補正対象項目名】０２１８
【補正方法】変更
【補正の内容】
【０２１８】
【発明の効果】
以上の如く、本発明の第１の情報受信装置および方法、並びに第１の記録媒体のプログラムによれば、情報受信装置のユーザは、自分自身の個人情報を外部に漏らさずに提示することが可能となる。
【手続補正５７】
【補正対象書類名】明細書
【補正対象項目名】０２１９
【補正方法】変更
【補正の内容】
【０２１９】
本発明の第１の情報送信装置および方法、並びに第２の記録媒体のプログラムによれば、情報受信装置のユーザを、その個人情報が外部に漏れることを抑制するように支援することが可能となり、かつ、ユーザから個人情報を取得し易くなる。
【手続補正５８】
【補正対象書類名】明細書
【補正対象項目名】０２２０
【補正方法】削除
【補正の内容】
【手続補正５９】
【補正対象書類名】明細書
【補正対象項目名】０２２１
【補正方法】削除
【補正の内容】
【手続補正６０】
【補正対象書類名】明細書
【補正対象項目名】０２２２
【補正方法】削除
【補正の内容】
【手続補正６１】
【補正対象書類名】明細書
【補正対象項目名】０２２３
【補正方法】削除
【補正の内容】
【手続補正６２】
【補正対象書類名】明細書
【補正対象項目名】０２２４
【補正方法】変更
【補正の内容】
【０２２４】
本発明の第２の情報送信装置および方法、並びに第３の記録媒体のプログラムによれば、第３の情報をより効率的に、ユーザに提示することが可能となる。
【手続補正６３】
【補正対象書類名】明細書
【補正対象項目名】０２２５
【補正方法】変更
【補正の内容】
【０２２５】
本発明の第２の情報受信装置および方法、並びに第４の記録媒体のプログラムによれば、ユーザは、第３の情報を、希望するタイミングで、確実に受信することができる。
【手続補正６４】
【補正対象書類名】明細書
【補正対象項目名】０２２６
【補正方法】削除
【補正の内容】
【手続補正６５】
【補正対象書類名】明細書
【補正対象項目名】０２２７
【補正方法】削除
【補正の内容】
【手続補正６６】
【補正対象書類名】明細書
【補正対象項目名】０２２８
【補正方法】削除
【補正の内容】
【手続補正６７】
【補正対象書類名】明細書
【補正対象項目名】０２２９
【補正方法】削除
【補正の内容】